(57)【要約】      （修正有）【課題】  ソケット本体から突出した接続部材の導電端子片が他の部材と当接し難く、外力による端子片の変形を低減できる、確実な電気的接続と組付けが行えるソケット装置およびこのソケット装置を装着した照明装置を提供する。【解決手段】  筒状のソケット本体１の一端側に形成したランプ装着孔と、上記ソケット本体１の周壁１１に形成したフランジ２部およびソケット軸に沿った切欠部３と、上記ソケット本体１の切欠部３両側の周壁１１に上記フランジ部２と所定の間隙を隔てて形成した第１および第２の係止突起部４１，４２と、上記ソケット本体１のランプ装着孔内に装着されるとともに上記切欠部３から上記第１および第２の係止突起部４１，４２間の近傍に延出した導電端子片５３を有する接続部材と、上記ソケット本体１のランプ装着孔内に装着されるとともに上記接続部材に保持接続された無口金形ランプ６とを備えている。【選択図】  図１
2005050796.tif 000002
【特許請求の範囲】
【請求項１】
電気絶縁性材料で形成した筒状のソケット本体と；
このソケット本体の一端側に形成したランプ装着孔と；
上記ソケット本体の周壁に形成したフランジ部と；
上記ソケット本体をソケット軸に沿って開口部からフランジ部までを切欠形成した切欠部と；
上記ソケット本体の切欠部両側の周壁に上記フランジ部と所定の間隙を隔てて形成した第１および第２の係止突起部と；
上記ソケット本体のランプ装着孔内に基体部が装着されるとともに上記切欠部から上記第１および第２の係止突起部間の近傍に延出した導電端子片を有する接続部材と；
上記ソケット本体のランプ装着孔内に装着されるとともに上記接続部材に保持接続された無口金形ランプと；
を具備していることを特徴とするソケット装置。
【請求項２】
上記接続部材は、上記ランプの封着部の一面側を押圧する略平面形状部を有することを特徴とする請求項１に記載のソケット装置。
【請求項３】
上記接続部材は、上記ランプの封着部を抱圧する略コ字形状部を有することを特徴とする請求項１に記載のソケット装置。
【請求項４】
上記接続部材は、切欠部から延出した導電端子片先端の接触部に連接してフランジ部と離反する方向に折曲げられた傾斜面が形成されていることを特徴とする請求項１ないし請求項３のいずれか一に記載のソケット装置。
【請求項５】
上記第１または第２の係止突起部は、フランジ部の上面またはこの上面の近傍にまで突出延長したストッパ部が形成されていることを特徴とする請求項１ないし請求項４のいずれか一に記載のソケット装置。
【請求項６】
上記ランプが白熱電球または放電ランプあるいは発光ダイオードであることを特徴とする請求項１ないし請求項５のいずれか一に記載のソケット装置。
【請求項７】
基体と；
この基体に設けられた配線基板と；
この配線基板のソケット取付孔に係止突起部が挿入装着された上記請求項１ないし請求項６のいずれか一に記載のソケット装置と；
を具備していることを特徴とする照明装置。
【発明の詳細な説明】
【技術分野】
【０００１】
この発明は電気絶縁性材料で形成したソケット本体に小形の白熱電球や発光ダイオードなどの無口金形ランプを装着したソケット装置およびこのソケット装置を用いた照明装置に関する。
【背景技術】
【０００２】
無口金形電球などの無口金形ランプ用のソケット装置は、ランプの保持および電気的な接続が、簡単な構成で、かつ、安価にできるという利点を有することから、ＡＶ機器や自動車の照明や表示用あるいはプラントの制御表示用などに多用されている。
【０００３】
プリント配線基板などに取付ける従来の無口金形ランプ用のソケット装置は、電気絶縁性の合成樹脂やゴムなどからなる有底筒状のソケット本体の上方側にランプの装着孔を有するとともにソケット本体の外周壁からほぼ一様に突出したフランジ部およびこのフランジ部と所定の間隔を隔てて一対の係止突起部が形成され、上記装着孔内に金属板製の接続部材およびこの接続部材に保持接続されたウエッジベース形ランプの封着部を装着して構成されている。
【０００４】
そして、このソケット装置は、ソケット本体の外周側に形成した一対の係止突起部とフランジ部との間でプリント配線基板を挾圧するように、本体の係止突起部を配線基板のソケット取付孔に挿通させた後、回動して取付けるとともに、上記フランジ部上の端子片がフランジ部と配線基板の配線導体との間に挾圧されることによって導電端子部として作用し通電され、ランプが点灯するよう構成されている。
【０００５】
上記導電端子片は、プリント配線基板に形成した銅箔などの薄膜からなる配線導体が基板の表面、裏面あるいは両面といろいろあるが接触が必要となるのは一面であり、それぞれに対応して設けてある。
【０００６】
この導電端子片は、ソケット本体の外周壁面から突出させたりフランジ部面上にまで突出させて設けたり、または両者に設けたり、あるいはランプ装着孔の周囲壁をソケット軸に沿って形成した切欠部の中間部やフランジ部に近い部分から本体外にまで延出させるなどしていた。
【０００７】
そして、このようなソケット本体の外周壁面から導電端子片が突出しているソケット装置は、装置の製造や組立て時あるいは輸送時などにおいて箱内などにばら詰めされた場合などに、ソケット本体から突出している端子片が他のソケット装置の本体や接続部材などと接触し易く、端子片に変形を生じることがある。
【０００８】
この接続部材の導電端子片に変形を生じると、プリント配線基板の配線導体と端子片との接触が不安定となったり甚しい場合には取付けが不可能になることがあった。
【発明の開示】
【発明が解決しようとする課題】
【０００９】
そこで、本発明者等は上述したような導電端子片に変形を生じ接続が不安定になることを解消するため種々の検討を重ね、その保護手段を模索した。
【００１０】
本発明は上記の事情に鑑みなされたもので、ソケット本体の切欠部から延出し外周壁より突出した接続部材の導電端子片が他の部材と当接し難く、外力による端子片の変形を低減できる、確実な電気的接続と組付けが行えるソケット装置およびこのソケット装置を装着した照明装置を提供することを目的とする。
【課題を解決するための手段】
【００１１】
本発明の請求項１に記載のソケット装置は、電気絶縁性材料で形成した筒状のソケット本体と、このソケット本体の一端側に形成したランプ装着孔と、上記ソケット本体の周壁に形成したフランジ部と、上記ソケット本体をソケット軸に沿って開口部からフランジ部までを切欠形成した切欠部と、上記ソケット本体の切欠部両側の周壁に上記フランジ部と所定の間隙を隔てて形成した第１および第２の係止突起部と、上記ソケット本体のランプ装着孔内に基体部が装着されるとともに上記切欠部から上記第１および第２の係止突起部間の近傍に延出した導電端子片を有する接続部材と、上記ソケット本体のランプ装着孔内に装着されるとともに上記接続部材に保持接続された無口金形ランプとを具備していることを特徴としている。
【００１２】
このソケット装置は、その製造や組立時あるいは輸送時などにおいて箱内などにばら詰めされた場合にも、ソケット本体から突出している導電端子片がフランジ部および両係止突起部で囲われた位置にあるので他のソケット装置の本体や接続部材などと接触することが少なく、導電端子片に変形を生じることを低減できる。
【００１３】
なお、本発明および以下の各発明において、特に指定しない限り用語の定義および技術的意味は次による。
【００１４】
ソケット本体は、６６ナイロン（商品名）などの熱可塑性合成樹脂やゴムなどの電気絶縁性材料で形成された横断面が円筒形状や四角形などの多角形状の有底筒状体からなり、一端側に開口した接続部材およびランプの装着孔を有する。
【００１５】
また、このソケット本体の周壁から外方に突出形成したフランジ部は、外周全周でなく部分的に欠損していてもよい。
【００１６】
また、フランジ部と所定の間隔を隔て形成した係止突起部は、ソケット本体に形成した切欠部の両側に沿って分割したような形態で設けられるが、第１および第２の係止突起部の形状の同一性は問われない。
【００１７】
また、フランジ部と対向する第１および第２の係止突起部の底面が、フランジ部と平行であってもよいが凸状部やテーパー状部が形成されていて、少なくともその一方の係止突起部の底面の一部が配線基板などと当接するものであればよく、ソケット装置を基板などに装着する際、侵入側の間隔が広く奥にいくに従い狭くなるようテーパー状部とすることによって位置決めや回動などの作業がし易く、かつ、固定強度が高めることができる。また、フランジ部と係止突起部との間の、上記所定の間隔とはソケット装置が取着される配線基板などの板厚以下の寸法である。
【００１８】
この係止突起部は、ソケット本体の対向した正対位置（１８０度）に一対のものを対称配置したものに限らず３個以上あってもよく、その配設角度を変えたり、その形状（幅など）を異なるものとしたりあるいは配設位置と形状とを変えたものであってもよい。このような構成とすることは、ＬＥＤランプなど極性が特定されるランプを使用する場合に誤って装着されることを防げる。
【００１９】
また、接続部材は、ランプの保持とランプへの給電とを兼ねた真鍮やステンレスなどの導電性や弾力性を有する金属板材を用いて構成することができ、その金属板材の折曲部や板体の加工形状は問はないとともに補強のためにリブなどを設けておくことは構わない。また、接続部材が保持するランプ部分は、バルブであってもウエッジベース形などの封着部であってもよい。
【００２０】
また、切欠部から延出した導電端子片は、配線基板などを挾みフランジ部側でも係止突起部側でもあるいは両者側に位置していてもよく、要するに配線導体などと接触する方向に弾性が付与されていれば導電性の高い電気的接続がなされる。また、導電端子片の先端の接触部は略平面形状や皿状などの突出した電気的接続が良好な形状であればよい。
【００２１】
さらに、このソケット装置が取着される部材は、プリント配線基板に限らず他の接続導電部材などであっても差支えなく、また、その取着部は取付孔に限らず切欠部などであってもよい。
【００２２】
本発明の請求項２に記載のソケット装置は、上記接続部材が、上記ランプの封着部の一面側を押圧する略平面形状部を有することを特徴としている。
【００２３】
接続部材は略平面形状部を有し、ランプのバルブや封着部を対向した両側から圧接するように配設したので、ランプの保持と給電とを兼ねた一体的なものとし、ランプの保持およびランプのリード線や配線導体と良好な電気的接続ができる。  本発明の請求項３に記載のソケット装置は、上記接続部材が、上記ランプの封着部を抱圧する略コ字形状部を有することを特徴としている。
【００２４】
接続部材は略コ字形状部を有し、ランプのバルブや封着部を抱持してその保持と給電とを兼ねた一体的なものとし、ランプの保持およびランプのリード線や配線導体と良好な電気的接続ができる。
【００２５】
本発明の請求項４に記載のソケット装置は、上記接続部材は、切欠部から延出した導電端子片先端の接触部に連接してフランジ部と離反する方向に折曲げられた傾斜面が形成されていることを特徴としている。
【００２６】
上記接続部材の導電端子片先端の接触部にこの端子片の延在方向と直交する方向に連設して、フランジ部と離反する方向に金属板を捩り折曲げられた傾斜面を形成したことにより、装着時、配線基板などの取付孔にソケット装置を挿通して回動させたとき、まず、配線基板との間隙が最も大きい傾斜面端部が取付孔縁に当接し、回動を進めると傾斜面が取付孔縁を滑らかにすべって最も突出している接触部を円滑に配線基板などの配線導体面上に案内移動できる。
【００２７】
そして、導電端子片先端の接触部が反発して配線基板に強く圧接し、ソケット装置の強固な挟着および電気的接続を行うことができる。
【００２８】
なお、上記接触部に連設する傾斜面は、ソケット装置の回動方向の先行側に形成されればよく、右側か左側あるいは左右両側に形成することができる。
【００２９】
本発明の請求項５に記載のソケット装置は、上記第１または第２の係止突起部は、フランジ部の上面またはこの上面の近傍にまで突出延長したストッパ部が形成されていることを特徴としている。
【００３０】
ソケット装置の装着時、配線基板などの取付孔にソケット装置を挿通して回動させたとき、上記第１または第２の係止突起部の最奥に形成したストッパ部が配線基板の取付孔縁に当接し回動が停止され、この停止位置に対応して設けられた配線基板などの配線導体面と接続部材の導電端子片先端の接触部とが圧接されることにより電気的な接続がなされる。
【００３１】
なお、上記ストッパ部は、ソケット装置装着時の回動方向の最奥部に形成されればよく、回動方向によって右側または左側に決められる。
【００３２】
本発明の請求項６に記載のソケット装置は、上記ランプが白熱電球または放電ランプあるいは発光ダイオードであることを特徴としている。
【００３３】
本発明のソケット本体に装着されるランプは電球に限らずＬＥＤ（発光ダイオード）ランプ、ネオンランプやグローランプなどの小形放電ランプであっても適用でき、ＬＥＤランプの場合はソケット本体内に抵抗や整流素子を収容しておいてもよい。
【００３４】
そして、ソケット装置に装着された各種の無口金ランプを、強固に保持できるとともに接続部材を通じ確実な給電ができる。
【００３５】
本発明の請求項７に記載の照明装置は、基体と、この基体に設けられた配線基板と、この配線基板のソケット取付孔に係止突起部が挿入装着された上記請求項１ないし請求項６のいずれか一に記載のソケット装置とを具備していることを特徴としている。
【００３６】
上記請求項１ないし請求項６に記載の作用を奏するソケット装置を用いているので、ランプを安定して確実に保持して点灯でき、この点灯によって各種所定の照明や表示を行うことができる。また、本発明の照明装置とは、照明用はもちろん表示用などの装置を含むものである。
【００３７】
また、ソケット本体に形成した係止突起部の長さが長くなる分、ソケット取付孔に連設した凹所が長くなるが何等支障がない。
【発明の効果】
【００３８】
本発明の請求項１の記載によれば、ソケット装置は、その製造や組立時あるいは輸送時などにおいて箱内などにばら詰めされた場合などに、他のソケット装置の本体や接続部材などと接触することが少なく、導電端子片に変形を生じることがなく、配線基板などへの装着が容易に行われるとともに強固な保持と確実な電気的接続がはかれるなどの利点を有するソケット装置を提供できる。
【００３９】
また、本発明の請求項２および請求項３の記載によれば、ランプの保持と給電とを兼ねた一体的な接続部材を用いることにより、構成簡単で安価に得られる上記請求項１に記載と同様な効果を奏するソケット装置を提供できる。
【００４０】
また、本発明の請求項４に記載によれば、接触片に折曲げた部分を形成しておくことにより、配線基板の取付孔などへのソケット装置の装着が円滑に行えるとともに取付孔などに変形など導通が不安定になるなどの事態を回避できる利点を有するソケット装置を提供できる。
【００４１】
また、本発明の請求項５に記載によれば、ソケット装置の装着時、ソケット装置の回動が所定の位置で停止され、この停止位置に対応して設けられた配線基板などの配線導体面と接続部材の導電端子片先端の接触部とが圧接されることにより確実な電気的接続および機械的な接続（固着）がなされるソケット装置を提供できる。
【００４２】
また、本発明の請求項６に記載によれば、ソケット本体に装着されるランプは電球に限らずＬＥＤ（発光ダイオード）ランプや小形放電ランプなどであっても適用でき、そして、ソケット装置に装着された各種の無口金ランプを、接続部材を介し強固な保持と確実な電気的接続が行える。
【００４３】
さらに、本発明の請求項７に記載によれば、上記請求項１ないし請求項６に記載の効果を奏するソケット装置を用いているので、ランプを安定して確実に点灯でき、この点灯によって所定の照明や表示が行える照明装置を提供できる。
【発明を実施するための最良の形態】
【００４４】
以下、本発明のソケット装置の第１の実施の形態を図１ないし図４を参照して説明する。図１はソケット装置Ｓ１の正面図、図２は上面図、図３は底面図、図４（ａ），（ｂ）は接続部材の斜視図である。なお、図面を参照した説明中における上下や左右とはあくまで図面に基づくものであって、実使用時においては上下や左右は入れ替わることがある。
【００４５】
図において１は熱可塑性合成樹脂たとえば６６ナイロン（商品名）などの電気絶縁性材料からなる横断面が円筒形状を有する有底筒状のソケット本体である。２はこの本体１の中間部の周壁１１から連続して突出した円形形状のフランジ部である。
【００４６】
１２は上端側に開口したこのソケット本体１の周壁１１が形成するランプ装着孔、３，３は周壁１１の対向した部分にソケット本体１軸に沿って装着孔１２と連通して上記フランジ部２面にまで切欠された一対の切欠部、１３は摘み部である。
【００４７】
また、４１，４２は周壁１１の上記切欠部３を隔て各切欠部３，３の両側に対向して形成された第１係止突起部と第２係止突起部である。この第１係止突起部４１および第２係止突起部４２の下面はテーパー状部や凸状部４３を有し、この下面と、上記フランジ部２の上面との間隙は後述する配線基板の厚さと同じか少々小さ目で対峙している。また、第１係止突起部４１は、フランジ部２の上面またはこの上面の近傍にまで突出延長させたストッパ４４を有する。
【００４８】
また、５ａ，５ａは真鍮などの導電性および弾力性の優れた金属板からなる一対の接続部材で、図４（ａ）に一方を取り出して示すように、基体部となる略平面状部５１がソケット本体１の装着孔１２の係止溝（図示しない。）内などに係合されているとともに中央部から起立した切片５２がソケット軸と交差する外側方向で下向き方向に弾性が付与されるよう折曲げられ上記切欠部３を通じてフランジ部２上方にまで延出した導電端子片５３を有し、この導電端子片５３部分はフランジ部２、第１係止突起部４１および第２係止突起部４２で囲われた位置にある。なお、図中５４は導電端子片５３から突出して設けられた接触部、５５は略平面状部５１に形成した係止用凸部で、筋状でなく点状であってもよい。
【００４９】
また、６は無口金形ランプ、たとえばウエッジベース形の小形電球で、外囲器を形成するガラスバルブ６１の内部にはコイル状のフィラメント（図示しない。）が封装されているとともに端部の封着部の両面が上記ランプ装着孔１２内に配設した一対の接続部材５ａ，５ａ間に押圧された状態で嵌挿されている。そして、バルブ６１の封着部面に形成した凹部と、上記略平面状部５１に形成した係止用凸部５５とが係合して強固な保持をなすとともに、この略平面状部５１が封着部面に添設したフィラメントに接続する外部リード線を押圧して電気的に好ましい接続をなし、これらでソケット装置Ｓ１を構成している。
【００５０】
そして、このソケット装置Ｓ１は、その製造や組立時あるいは輸送時などにおいて箱内などにばら詰めされた場合にも、ソケット本体１から突出している導電端子片５３がフランジ部２および係止突起部４１，４２で囲われた所にあるので他のソケット装置Ｓ１の本体１や接続部材５ａなどと接触することが少なく、導電端子片５３に変形を生じることを低減できる。
【００５１】
また、一対の係止突起部４１，４２の下面を先行側がフランジ部２との間隔が広いテーパー状部としておくことにより、ソケット装置Ｓ１を配線基板の取付孔などに装着する際、先行側の間隔が広くソケット装置Ｓ１の回動が容易で、かつ、固着強度を高めることができる。
【００５２】
また、図４（ｂ）は、接続部材の他の実施の形態を示す斜視図で、この接続部材５ｂは金属板からなる基板部５１から起立して対面する挾持片５６、５７とこの挾持片５６、５７の間から起立して外方に傾斜延出した導電端子片５３とからなり、中央部付近の横断面は略コ字形状をなしていて、挾持片５６、５７には点状に形成した係止用凸部５５を有する。
【００５３】
この接続部材５ｂを一対ソケット本体１の装着孔１２内に装着したソケット装置Ｓ１は、上記略コ字形状をなす挾持片５６、５７間にランプ６のバルブ６１端部に形成したウエッジベース形をなす封着部を挿入すると、挾持片５６、５７が封着部の両端部を表裏両面から抱持し係止用凸部５５が封着部面に形成した凹部と係合するとともに他面側においては封着部面に添設した外部リード線を挾圧して、上記実施の形態と同様にランプ６を強固に保持するとともに確実な電気的接続を行なわせることができる。
【００５４】
また、図５および図６は本発明のソケット装置の第２の実施の形態を示し、図５はソケット装置の正面図、図６は図５中の接続部材で（ａ）図は正面図、（ｂ）図は側面図で、図中、図１〜図４と同一部分には同一の符号を付してその説明は省略する。
【００５５】
第２の実施の形態のソケット装置Ｓ２においては、上述した第１の実施の形態のソケット装置Ｓ１における接続部材５ｂ，５ｂを、図６に示す異なる形態の接続部材５ｃ，５ｃに置換したものである。
【００５６】
この接続部材５ｃは図６に示すように、金属板からなる基板部９１の下方両側から起立して対面する一対の挾持片９６，９７と、基板部９１上方のこの挾持片９６，９７とは反対面側に切り起され傾斜延出した導電端子片９３とを備えている。
【００５７】
また、この導電端子片９３先端の接触部９４には、この端子片９３の延在方向と直交する方向に連設して、フランジ部２と離反する方向に金属板を捩り折曲げられた傾斜面９８が形成されている。なお、図中、９５は点状に形成した電球係止用凸部、９９は接続部材係止用突起である。
【００５８】
このように構成された一対の接続部材５ｃ，５ｃは、図５に示すようにソケット本体１の装着孔１２の内壁に形成した係止溝（図示しない。）内などに挿入されるとともに上記接続部材係止用突起９９が内壁に形成した凹部（図示しない。）内に係合して、装着孔１２から接続部材５ｃが抜け出るのを防止できる。
【００５９】
そして、この一対の接続部材５ｃ，５ｃが挿入された後、この接続部材５ｃ，５ｃの略コ字形状をなす一対の挾持片９６，９７の間にランプのバルブ端部に形成したウエッジベース形をなす封着部を押入れ、封着部の両端部を表裏両面および側面から弾性力により挾持させる。この挿入により封着部外面に形成した凹部が電球係止用凸部９５と係合するとともに他面側においては封着部面に添設した外部リード線を挾圧して、上記実施の形態と同様にランプを強固に保持するとともに確実な電気的接続を行なわせることができるソケット装置Ｓ２が得られる。
【００６０】
このような構成のソケット装置Ｓ２のプリント配線基板の取付孔などへの装着は、上述した実施の形態と同様な手段で行われるが、このソケット装置Ｓ２の場合は、取付孔にソケット装置Ｓ２を挿通して回動させたとき、まず、配線基板との間隙が最も大きいフランジ部２と離反する方向に折曲げられた傾斜面９８の端部が取付孔縁に当接し、さらに回動を進めると傾斜面９８が取付孔縁を滑らかにすべって最も突出している接触部９４を円滑に配線基板などの配線導体面上に案内移動できる。
【００６１】
したがって、接続部材５ｃの導電端子片９３先端の接触部９４が、取付孔などの孔縁に衝突して変形などの導通が不安定になるなどの不測の事態を回避できる利点を有する。
【００６２】
なお、上記接触部９４に連設する傾斜面９８は、ソケット装置Ｓ２の回動方向の先行側に形成されればよく、右側か左側あるいは左右両側に形成することができる。
【００６３】
また、図７および図８は上記ソケット装置Ｓ１やＳ２が装着された自動車などのメータ内の表示用や照明用の表示装置７で、図７はメータの一部分を示す側面断面図、図８（ａ）はソケット装置が装着される配線基板の一部分を示す平面図、同図（ｂ）はソケット装置が装着された配線基板の一部分を示す平面図である。
【００６４】
この表示装置７は、前面の筐体７１の凹所７２にたとえばドア開放の表示をする表示板７３が取付けられ、この表示板７３と対向して配設された基体（図示しない。）に取付けられた配線基板８のソケット装着孔８１へソケット装置Ｓ１が装着されている。このソケット装置Ｓ１が装着される配線基板８は、ソケット本体１の横断面と略同形の略円筒形状をなすソケット取付孔８１およびこの装着孔８１の対向辺には凹所８２，８２が形成されているとともに取付孔８１の周辺に表面に配線導体８３，８４が配設してある。この配線導体８３，８４は配線基板８の一面側あるいは両面に形成されている。
【００６５】
そして、この配線基板８のソケット取付孔８１へのソケット装置Ｓ１の装着は、配線基板８の取付孔８１の凹所８２，８２側とソケット本体１の係止突起部４１，４２側とを合わせてから、取付孔８１内に小形電球６のバルブ６１の頂部を合わせ進入させる。この進入によりバルブ６１の頂部が取付孔８１内に突出し、フランジ部２が配線基板８に当接するまで押込み、当接したらソケット本体１の下部側の摘み部１３を把持して右方向に回動することによってフランジ部２と係止突起部４１，４２とが配線基板８を挾み強固に固着される。また、両接続部材５ａ，５ａの下方（フランジ部２）側に弾性が付与された端子片５３は反発して（図１において、端子片５３は図示状態より上方に反って）、接触部５４が配線導体８３，８４と強く圧接して電気的な接続がなされる。
【００６６】
また、このときソケット本体１に形成された一対の両係止突起部４１，４１の下面の突部４４やテーパー面が、配線基板８の取付孔８１の周囲面を円滑に滑動できるとともにストッパ４３，４３が凹所８２，８２の辺縁に当たって回動が停止し、所定の位置決めがなされる。
【００６７】
また、電球６の交換などでソケット装置Ｓ１を配線基板８から取外す場合は、摘み部１３を把持し左方向に回動して係止突起部４１，４２が凹所８２，８２に達したらソケット取付孔８１から引き抜くことによって行うことができる。
【００６８】
このようにソケット装置Ｓ１が、ソケット本体１から突出している導電端子片５３がフランジ部２および係止突起部４１，４２で囲われた部位にあり、導電端子片５３に変形を生じていることが少ないので、表示装置７などの表示用や照明用として配線基板８などに装着される際に、装着が容易で作業を円滑に行えるとともに確実な電気的接続と組付けができる利点を有する。
【図面の簡単な説明】
【００６９】
【図１】本発明のソケット装置の第１の実施の形態を示す正面図である。
【図２】図１のソケット装置を示す上面図である。
【図３】図１のソケット装置を示す底面図である。
【図４】図（ａ），（ｂ）は接続部材の実施の形態を示す斜視図である。
【図５】本発明のソケット装置の第２の実施の形態を示す正面図である。
【図６】図５中の接続部材を示し、（ａ）図は正面図、（ｂ）図は側面図である。
【図７】本発明の表示装置（照明装置）の実施の形態の一部分を示す側面断面図である。
【図８】図（ａ）はソケット装置が装着される配線基板の一部分を示す平面図、図（ｂ）はソケット装置が装着された状態の配線基板の一部分を示す平面図である。
【符号の説明】
【００７０】
Ｓ１，Ｓ２：ソケット装置
１：ソケット本体
１１：周壁
１２：ランプ装着孔
２：フランジ部
３：切欠部
４ａ：第１係止突起部
４ｂ：第２係止突起部
５ａ〜５ｃ：接続部材
５３：導電端子片
６：ランプ
６１：ガラスバルブ（外囲器）
７：表示装置（照明装置）
８：配線基板
８１：ソケット取付孔
８３，８４：配線導体
【図１】
2005050796.tif 000003
【図２】
2005050796.tif 000004
【図３】
2005050796.tif 000005
【図４】
2005050796.tif 000006
【図５】
2005050796.tif 000007
【図６】
2005050796.tif 000008
【図７】
2005050796.tif 000009
【図８】
2005050796.tif 000010